(57)【要約】【課題】  本発明は、簡単な構造であって、且つ動物の体臭による悪臭を効率的に除去することを可能とした動物小屋を提供することを目的とする。【解決手段】  床１０と、床１０の左右端縁からそれぞれ立設される側壁２０と、床１０の前端縁から立設され、且つ開口部３１を備える前壁３０と、床１０の後端縁から立設される後壁３２と、側壁２０、前壁３０及び後壁３２で囲まれた空間８を上から覆う屋根４０とを含んで成り、床１０が、外板５（底板１１）及び内板６（床板１３）で構成されると共に、外板５と内板６との間に脱臭剤が配設された空間部１４が設けられた二重構造とされ、且つ少なくとも内板６となる床板１３に通気孔１７が設けられ、通気孔１７を通して、空間８の内外に通気し得るようにした動物小屋２である。【選択図】  図１
2005102592.tif 000002
【特許請求の範囲】
【請求項１】
床と、
前記床の左右端縁からそれぞれ立設される側壁と、
前記床の前端縁から立設され、且つ開口部を備える前壁と、
前記床の後端縁から立設される後壁と、
前記側壁、前記前壁及び前記後壁で囲まれた空間を上から覆う屋根と
を含んで成り、
前記床、前記側壁、前記前壁、前記後壁、前記屋根の中から選択される少なくとも一つが、外板及び内板で構成されると共に、該外板と該内板との間に脱臭剤が配設された空間部が設けられた二重構造とされ、且つ少なくとも前記内板に通気孔が設けられ、該内板の通気孔を通して、前記空間の内外に通気し得るようにしたことを特徴とする動物小屋。
【請求項２】
前記空間部に仕切板が配され、該仕切板を境に前記空間部が前記複合壁の面方向に複数に分割されたことを特徴とする請求項１に記載の動物小屋。
【請求項３】
前記開口部の周縁に、金属又は硬質の合成樹脂から成る周縁保護部材を備えることを特徴とする請求項1又は２に記載の動物小屋。
【発明の詳細な説明】
【技術分野】
【０００１】
本発明は、動物小屋に関し、特に、屋内で動物を飼育する際に好適に使用され得る動物小屋に関する。
【背景技術】
【０００２】
動物、例えば、犬や猫等を飼育する際には、動物の体臭による悪臭の問題があり、特に、動物を屋内で飼育する場合には、この悪臭の除去対策が重要となる。動物からの体臭の発生は、市販のペット用シャンプー等を使用することによって、ある程度抑制することが可能である。しかし、この悪臭は、動物から直接発生するものだけではなく、動物を飼育するために使用される動物小屋からも間接的に発生するため、動物小屋内における悪臭の除去対策が非常に重要となる。
【０００３】
従来、動物小屋内の悪臭を除去する方法としては、スプレー式のペット用消臭剤が主に使用されている。この消臭剤を小屋内に噴霧することによって、小屋内の悪臭を消臭するものである。一方、動物小屋から拡散した悪臭は、室内用の消臭剤や脱臭剤、空気清浄機等によって除去することが一般に行われている。
【０００４】
また、動物小屋内に、動物の体臭の消臭手段を備えた動物飼育小屋も開示されている（例えば、特許文献１参照。）。この消臭手段は、小屋内に設けた通気路の一部に送気手段（ファン）、フィルター及び消臭剤が配設されたものであって、ファンにより開口部から取り入れられた小屋内の空気が消臭剤によって消臭され、再び小屋内に戻される構造となっている。
【０００５】
【特許文献１】特開平０５−０２２０５７号公報（第２図）
【発明の開示】
【発明が解決しようとする課題】
【０００６】
しかし、スプレー式消臭剤による小屋内の消臭効果は、一時的なものであって持続性がなく、消臭効果を持続させるためには、小屋内に消臭剤を頻繁に噴霧する必要がある。また、動物小屋から屋内に拡散した悪臭は、室内用の消臭剤、空気清浄機等によってある程度の消臭は可能であるが、動物小屋に対して広い室内空間を有する屋内を消臭することは効率的ではない。
【０００７】
更に、前記動物飼育小屋は、小屋内に消臭手段を備えているため、屋内に悪臭が拡散する可能性は殆ど無いが、小屋全体の構造が複雑となる。また、小屋内に消臭手段を設置することによって床面に段差が形成されるため、動物の寝床としては必ずしも好ましい態様であるとは言い難い。
【０００８】
そこで、本発明は、簡単な構造であって、且つ動物の体臭による悪臭を効率的に除去することを可能とした動物小屋を提供することを目的とする。
【課題を解決するための手段】
【０００９】
即ち、本発明の要旨とするところは、床と、
前記床の左右端縁からそれぞれ立設される側壁と、
前記床の前端縁から立設され、且つ開口部を備える前壁と、
前記床の後端縁から立設される後壁と、
前記側壁、前記前壁及び前記後壁で囲まれた空間を上から覆う屋根と
を含んで成り、
前記床、前記側壁、前記前壁、前記後壁、前記屋根の中から選択される少なくとも一つが、外板及び内板で構成されると共に、該外板と該内板との間に脱臭剤が配設された空間部が設けられた二重構造とされ、且つ少なくとも前記内板に通気孔が設けられ、該内板の通気孔を通して、前記空間の内外に通気し得るようにした動物小屋であることにある。
【００１０】
また、かかる動物小屋において、前記空間部に仕切板が配され、該仕切板を境に前記空間部が前記複合壁の面方向に複数に分割され得ることにある。
【００１１】
更に、かかる動物小屋において、前記開口部の周縁に、金属又は硬質の合成樹脂から成る周縁保護部材を備え得ることにある。
【発明の効果】
【００１２】
本発明の動物小屋は、床、側壁、前壁、後壁、屋根の中から選択される少なくとも一つに、外板及び内板で構成されると共に、該外板と該内板の間に脱臭剤が配設された空間部が設けられた二重構造を適用し、且つ二重構造を構成する少なくとも内板に通気孔を設けているため、動物小屋内の脱臭を効率的に行うことができ、動物小屋からの悪臭の拡散を未然に防止することが出来る。特に、脱臭剤として木炭や竹炭、活性炭等を使用した場合には、長期間にわたり脱臭効果が持続すると共に、小屋内の防虫、殺菌、調湿等の効果も得られる。
【００１３】
また、空間部に仕切板を配し、この仕切板を境にして空間部を複数に分割することによって、空間部に均一に脱臭剤を配設することが出来る。その結果、脱臭効率を向上することが出来ると共に、動物小屋の移動に伴って生じる脱臭剤の位置ずれや片寄りも防止することが出来る。
【００１４】
また、本発明の動物小屋の構造上、複合壁から成る床、側壁等の空間部に配設された脱臭剤の交換を容易に行うことが出来ると共に、動物小屋自体の清掃も効率よく行うことが出来る。
【００１５】
更に、脱臭剤は、二重構造から成る床、側壁等の空間部に配設されているため、動物小屋内に別途、脱臭剤を収納する場所を設ける必要がなく、動物小屋内に広い空間を確保することができ、動物にとっても脱臭剤の収納部が邪魔にならず、快適な寝床を得ることが出来る。
【００１６】
また、本発明の動物小屋を構成する前壁に形成された開口部の周縁に金属或いは硬質の合成樹脂から成る周縁保護部材を設けることによって、特に、犬を飼育する場合において、前壁の開口部周縁が噛み付きによって損傷することを防止することが出来る。
【発明を実施するための最良の形態】
【００１７】
以下、本発明の態様を図面に基づいて説明するが、本発明の態様は以下に示したものに限定されない。
【００１８】
図１に、本発明に係る動物小屋の特に好ましい態様を示す。動物小屋２は、床１０と、床１０の左右端縁からそれぞれ立設されることとなる側壁２０と、床１０の前後端縁から立設されることとなる前壁３０及び後壁３２と、側壁２０、前壁３０及び後壁３２で囲まれた空間８を上から覆う屋根４０とから成る。
【００１９】
床１０は、図１及び図２に示すように、外板５となる長方形の底板１１と、底板１１の四辺それぞれの端縁から立設された側板１２と、側板１２で囲まれた空間部１４を上から覆って着脱自在に載置される床板１３（内板６）とから構成されている。つまり、床１０は、外板５と内板６との間に空間部１４を有する二重構造となっている。そして、この空間部１４には脱臭剤（不図示）が配設され、内板６である床板１３は空間部１４の蓋の役目を果たすと共に、動物小屋２の床面の役目を果たす。また、少なくとも床板１３には複数の通気孔１７が設けられており、動物小屋２内の悪臭は、床板１３に設けられた通気孔１７を介して空間部１４へ流入し、脱臭剤によって脱臭されることとなる。なお、図1及び図２に示した態様では、側板１２にも通気孔１７を設け、床１０の通気性の向上を図っている。つまり、動物小屋２内の悪臭は、空間部１４で脱臭された後、側板１２に設けられた通気孔１７を介して外部へ流出することとなる。
【００２０】
ここで、空間部１４に配設される脱臭剤は、特に限定されるものではないが、例えば、木炭、竹炭、活性炭等の炭材が好適に使用され得る。これらの炭材は、脱臭効果が非常に高い上に脱臭効果が長期間にわたって持続するため、頻繁に脱臭剤を交換する手間が省ける。更に、炭材には脱臭効果の他、防虫、殺菌、調湿等の効果もあるため、動物小屋２内の脱臭のみならず、小屋内の防虫、殺菌、調湿も同時に行うことができ、動物にとって衛生的、且つ快適な寝床が得られることとなる。
【００２１】
また、空間部１４には、図２に示すように、仕切板１５が配され、仕切板１５によって複合壁７の面方向に複数に分割されていることが好ましい。例えば、空間部１４を格子状に仕切ることによって、脱臭剤を空間部１４に均一に配設することが出来ると共に、動物小屋２の移動に伴って生じる脱臭剤の位置ずれや片寄りも防止することが出来る。更に、仕切板１５にも複数の通気孔１７を設けることによって、空間部１４の通気性を更に向上することができ、動物にとって快適な寝床が得られることとなる。なお、仕切板１５による分割の仕方としては図示した格子状に限定されるものではなく、例えば、縞状等に分割されてもよい。
【００２２】
一方、本発明の態様においては、左右の側壁２０、前壁３０、後壁３２、及び屋根４０とによって、予め箱体３が形成されている。つまり、動物小屋２は、床１０の上に箱体３が載置された状態で構成されており、箱体３を載置することによって、箱体３を構成する左右の側壁２０は、床１０の左右端縁からそれぞれ立設された状態となり、前壁３０及び後壁３２は、床１０の前後端縁からそれぞれ立設された状態となる。また、前壁３０には、動物の出入口となる開口部３１が設けられている。
【００２３】
ここで、側壁２０には、図３（ａ）及び（ｂ）に示すような、複数の通気孔２７を備える外板２１及び内板２２で構成され、外板２１と内板２２とで空間部２３が形成された二重構造から成る複合壁２０ａが適用されることが好ましい。側壁２０には、空間部２３を有しない板状部材を適用することも可能ではあるが、複合壁２０ａのように空間部２３が形成されることによって、空間部２３に脱臭剤を配設することができ、動物小屋２内の脱臭効果を高めることが出来る。更に、板状部材に通気孔２７を設けた場合、動物小屋２内の悪臭は脱臭されずに外部へ拡散することとなるが、複合壁２０ａを適用した場合には、空間部２３に配設された脱臭剤によって動物小屋２内の悪臭が脱臭されるため、通気孔２７を介して動物小屋２の外部に悪臭が拡散する恐れがない。
【００２４】
なお、複合壁２０ａの態様では、空間部２３を形成するために間隔保持板２４を使用しているが、この間隔保持板２４を同図（ａ）に示すように、内板２２の長手方向の両端部及び下端部に加えて、適宜間隔を空けて複数設置することによって、空間部２３を複数に分割することができ、空間部２３に脱臭剤を均一に配設することが出来る。また、複合壁２０ａは、空間部２３に配設された脱臭剤の交換を容易にするため、箱体３に着脱自在に固定されることとなるが、固定方法は特に限定されるものではなく、例えば、スライド式、ネジによる固定やフック等による係着等、着脱可能な固定方法であれば何れの方法であってもよい。更に、複合壁２０ａは、外板２１、内板２２及び間隔保持板２４が一体に構成され、間隔保持板２４によって空間部２３が形成されているが、例えば、外板２１の設置位置から動物小屋２の内側方向に空間部２３が確保される位置に、内板２２を予め床板１３或いは屋根４０から立設させ、脱臭剤の交換時には、外板２１のみを着脱する態様としてもよい。
【００２５】
以上の構成から成る動物小屋２は、少なくとも空間部１４に脱臭剤が配設され、且つ床板１３及び側板１２に通気孔１７が設けられているため、動物小屋２内の脱臭を効率的に行うことができ、動物小屋２からの悪臭の拡散を未然に防止することが出来る。また、側壁２０として、空間部２３を有し、且つ空間部２３に脱臭剤が配設された二重構造の複合壁２０ａを適用することによって、動物小屋２内の脱臭効果を更に高めることが出来ると共に、複合壁２０ａを構成する外板２１及び内板２２に設けられた通気孔２７によって動物小屋２の通気性が向上し、動物にとっても快適な寝床が得られることとなる。
【００２６】
更に、床板１３及び複合壁２０ａは、それぞれ床１０及び箱体３から着脱自在に設けられているため、床１０の空間部１４及び複合壁２０ａの空間部２３に配設された脱臭剤を容易に交換することが出来る。特に、床板１３を着脱する際には、床１０の上に載置された箱体３を取り外すのみでよく、空間部１４の脱臭剤の交換が容易であると共に、床板１３、箱体３の内側等の清掃も効率よく行うことが出来る。
【００２７】
また、脱臭剤は空間部１４及び２３に収納されているため、動物小屋２内に別途、脱臭剤を収納する場所を設ける必要がなく、動物小屋２内に広い空間を確保することができ、動物にとっても脱臭剤の収納部が邪魔にならず、快適な寝床を得ることが出来る。
【００２８】
以上、本発明の動物小屋２の態様について、図面に基づいて詳述したが、本発明の態様は上記の態様に限定されるものではない。
【００２９】
例えば、床１０の態様は、図４に示すような、引出式のトレイ１９を備える床１０ａのような態様であってもよい。床１０ａは、底板１１ａ、側板１２ａ及び床板１３ａによって側面に開口部１８を備える枠体４と、開口部１８から挿入される底板１１ｂ及び側板１２ｂから成るトレイ１９とから構成されている。つまり、床１０ａは、外板５ａとなる底板１１ａ及び１１ｂと、内板６ａとなる床板１３ａとの間に空間部１４ａを有する二重構造となっている。そして、このトレイ１９内（空間部１４ａ）に脱臭剤が配設されることとなる。また、少なくとも枠体４を構成する側板１２ａ及び床板１３ａと、トレイ１９の側板１２ｂには通気孔１７が設けられており、床部１０ａの上に載置される箱体３の内部の空気、つまり動物小屋２内の悪臭は、床板１３ａの通気孔１７を介して空間部１４ａに流入し、脱臭剤によって脱臭された後、側板１２ａ及び１２ｂに設けた通気孔１７を介して外部へ流出することとなる。
【００３０】
このような構成から成る床１０ａを動物小屋２に適用することによって、床１０ａの上に載置された箱体３を取り外すことなく、容易に脱臭剤を交換することが出来る。なお、箱体３と枠体４は一体に構成されてもよいが、床板１３ａ、及び箱体３の内側の清掃を容易とするため、床１０ａの上に箱体３を載置する構成とすることが好ましい。
【００３１】
また、トレイ１９内、つまり空間部１４ａは、図３に示した床１０における空間部１４と同様、仕切板１５によって複数に分割されていることが好ましい。空間部１４ａを仕切板１５で分割することによって、空間部１４ａに均一に脱臭剤を配設することが出来ると共に、トレイ１９を枠体４へ挿入する際に生じる脱臭剤の片寄りを防止することが出来る。
【００３２】
更に、床１０、床１０ａの他の態様として、床１０を構成する底板１１や床１０ａを構成する底板１１ａ、１１ｂに、通気孔１７が設けられてもよい。底板１１、１１ａ、１１ｂにも通気孔１７を設けることによって、空間部１４、及びトレイ１９内（空間部１４ａ）の通気性は向上し、動物にとって快適な寝床が得られることとなる。なお、底板１１等に通気孔１７を設ける場合には、例えば、動物小屋２の下面の四隅、つまり、底板１１等の四隅に脚（不図示）を設け、動物小屋２が設置される床面と底板１１等との間に空間を設けることが好ましい。
【００３３】
また、本発明の動物小屋２の他の態様として、前壁３０に形成された開口部３１の周縁には、図５に示すように、周縁保護部材３３が設けられてもよい。例えば、動物小屋２を犬の飼育用として使用する場合、開口部３１の周縁に金属或いは硬質の合成樹脂から成る周縁保護部材３３を設けることによって、開口部３１の周縁を噛み付きによる損傷から有効に防止することが出来る。
【００３４】
以上、本発明の動物小屋について説明したが、本発明はその趣旨を逸脱しない範囲で、当業者の知識に基づき種々の改良、修正、変形を加えた態様で実施し得るものであり、これらの態様はいずれも本発明の範囲に属するものである。
【００３５】
例えば、脱臭剤としては、上述した炭材の他、公知のあらゆる脱臭剤を使用することができ、脱臭剤の形状も塊状、粉状、粒状、或いはシート状に成形された脱臭剤等、特に限定されるものではない。
【００３６】
また、空間部１４、空間部２３、トレイ１９には、脱臭剤と共に、防虫剤や除湿剤等が配設されてもよい。防虫剤等を併用することによって、動物小屋２内の防虫、除湿等も同時に行うことが出来る。更に、前壁３０、後壁３２、屋根４０を複合壁２０ａと同様、空間部を有する二重構造とし、この空間部に脱臭剤が配設されてもよい。なお、脱臭剤が配設された複合壁を構成する外板及び内板のうち、少なくとも内板には通気孔が設けられることとなるが、動物小屋の通気性や屋外又は屋内といった使用場所に応じて、外板にも通気孔が設けられた態様としてもよい。
【００３７】
その他、屋根４０の形状は、図１に示すドーム形に限定されるものではなく、例えば、切妻形等の屋根部であってもよい。
【図面の簡単な説明】
【００３８】
【図１】本発明の動物小屋を示す斜視図である。
【図２】本発明に係る複合壁から成る床を示す斜視図である。
【図３】（ａ）は、本発明に係る複合壁から成る側壁の平面図であり、（ｂ）は、（ａ）のＡ−Ａ線断面図である。
【図４】本発明に係る複合壁から成る床の他の態様を示した斜視図である。
【図５】本発明に係る前壁の他の態様を示した正面図である。
【符号の説明】
【００３９】
２：動物小屋
３：箱体
４：枠体
５、５ａ、２１：外板
６、６ａ、２２：内板
８：空間
１０、１０ａ：床
１１、１１ａ、１１ｂ：底板
１２、１２ａ、１２ｂ：側板
１３、１３ａ：床板
１４、１４ａ、２３：空間部
１５：仕切板
１７、２７：通気孔
１８、３１：開口部
１９：トレイ
２０：側壁
２０ａ：複合壁
２４：間隔保持板
３０：前壁
３２：後壁
３３：周縁保護部材
４０：屋根
【図１】
2005102592.tif 000003
【図２】
2005102592.tif 000004
【図３】
2005102592.tif 000005
【図４】
2005102592.tif 000006
【図５】
2005102592.tif 000007